(57)【特許請求の範囲】
【請求項１】
前方にフィルタ取り付け部を有し後方に顔面への当接部を有する面体と、前記面体を顔面に密着させることができる着用手段とを備え、前記面体には前記フィルタ取り付け部の後方に排気孔が形成されていて前記排気孔が逆止弁で覆われ、前記面体の内部から前記排気孔を通って外部へ流れ落ちる水滴の受け止め手段が前記排気孔の下方に設けられている排気孔付きのマスクにおいて、
前記受け止め手段が吸水性パッド部材と該パッド部材を前記逆止弁の下方に位置させるための保持部材とからなり、前記保持部材は、前記面体の上下方向に直交する幅方向において対向する両側縁部分の一方が前記面体の外面にヒンジ機構を介して取り付けられ、前記両側縁部分のもう一方が前記面体の外面に取り外し可能に固定されていて、その固定を外すと前記ヒンジ機構を中心に旋回可能であり、前記両側縁部分間にあって前記面体の外面と向かい合う内面が前記パッド部材を取り付け可能に形成されていることを特徴とする前記マスク。
【請求項２】
前記パッド部材が前記保持部材の内面と前記面体の外面とに密着可能である請求項１記載のマスク。
【請求項３】
前記保持部材は、前記両側縁部分の近傍に前記排気孔からの呼気が通過可能であり、前記パッド部材で覆われることのない透孔を有している請求項１または２記載のマスク。
【請求項４】
前記面体の外面には、前記排気孔の両側部分に前記排気孔を挟み互いに平行して前記上下方向ヘ延びる一対の凸条が形成されている請求項１〜３のいずれかに記載のマスク。
【請求項５】
前記保持部材は、前記もう一方の側縁部分が前記面体の外面から離間する方向へばね付勢された状態で旋回可能である請求項１〜４のいずれかに記載のマスク。
【発明の詳細な説明】
【０００１】
【発明の属する技術分野】
この発明は、防じん用や防毒用の排気孔付きマスクに関する。
【０００２】
【従来の技術】
従来、この種の防じんマスクや防毒マスクにおいて、面体に設けられた排気孔を逆止弁で覆う構造は周知である。また、この面体を着用したときに、呼気に含まれる水分が凝縮して水滴となり、排気孔の外へ流れ落ちることを防ぐために、その水滴を面体の外で受け止めることができるように面体の下方部分に水滴落下防止具を設けたマスクも知られている。この防止具は、吸水性パッドと、面体の外側でこのパッドを保持する部材とからなる。かようなマスクの一例には、面体の前方にセットされるフィルタを通気性のカバー部材で覆い、そのカバー部材の一部分を排気孔の下方部分にまで延長し、その延長部分にパッドを載せて水滴を受け止めるものがある。また、パッドを保持する部材が面体に対して着脱可能であって、この部材と面体の外面との間にパッドを配置したマスクも知られている。
【０００３】
【発明が解決しようとする課題】
前記従来例のマスクの前者において、カバー部材は、面体の前方から、面体に形成されたフィルタ収納部の外面に摺動しながら嵌合する。かかるマスクでは、パッドを面体の外面に密着させて排気孔の近くで水滴を受け止めようとすると、カバー部材の延長部分に載せたパッドもまた、カバー部材を嵌合させるときに面体の外面を摺動することになるから、パッドは位置がずれたり、しわが生じたりして所要の位置に納まり難いということがある。
【０００４】
また、前記従来例のマスクの後者においては、パッドを交換するときにパッドの保持部材を面体から外さなければならず、比較的小さな保持部材は、それを外したときに紛失し易いということがある。なお、前者のマスクの場合にも、パッドを保持するカバー部材はパッドやフィルタを交換するときに面体から外さなければならないが、このカバー部材はフィルタを覆う比較的大きなものであるから、外したときに紛失するという恐れは少ないといえよう。
【０００５】
この発明が課題とするのは、水滴落下防止具を有する防じん用や防毒用のマスクにおいて、吸水性パッドを所要の位置に固定することが容易であり、またこのパッドの保持部材を紛失する恐れがないように改良を施すことを課題にしている。
【０００６】
【課題を解決するための手段】
前記課題を解決するために、この発明が対象とするのは、前方にフィルタ取り付け部を有し後方に顔面への当接部を有する面体と、前記面体を顔面に密着させることができる着用手段とを備え、前記面体には前記フィルタ取り付け部の後方に排気孔が形成されていて前記排気孔が逆止弁で覆われ、前記面体の内部から前記排気孔を通って外部へ流れ落ちる水滴の受け止め手段が前記排気孔の下方部分に設けられている排気孔付きのマスクである。
【０００７】
かかるマスクにおいて、この発明が特徴とするところは、次のとおりである。前記受け止め手段が吸水性パッド部材と該パッド部材を前記逆止弁の下方に位置させるための保持部材とからなる。前記保持部材は、前記面体の上下方向に直交する幅方向において対向する両側縁部分の一方が前記面体の外面にヒンジ機構を介して取り付けられ、前記両側縁部分のもう一方が前記面体の外面に取り外し可能に固定されていて、その固定を外すと前記ヒンジ機構を中心に旋回可能である。前記保持部材は、また、前記両側縁部分間にあって前記面体の外面と向かい合う内面が前記パッド部材を取り付け可能に形成されている。
【０００８】
【発明の実施の形態】
添付の図面を参照して、この発明に係る排気孔付きのマスクの詳細を説明すると、以下のとおりである。
【０００９】
図１に斜視図で示されたマスク１は、面体２と、この面体２をマスク１着用の顔面に密着させるための長さ調節可能なヘッドバンド３とを有する。面体２は、マスク１着用者の口許と鼻孔の周辺とを覆うことができ、前方にフィルタ取り付け部６と、取り付け部６に納まる交換可能なフィルタ７に対する通気性保護カバー８とを有し、後方に柔軟弾性材料で形成された顔面当接部９を有する。フィルタ取り付け部６と顔面当接部９との間に位置する中間部分１０は、フィルタ取り付け部６とともに硬質ないし半硬質のプラスチック材料で形成されている。マスク１は、防じん用のものとしても防毒用のものとしても使用することができ、その用途に応じてフィルタ７の種類が選択される。
【００１０】
図２はマスク１の要部側面図であって、一部が破断図で示されている。面体２の中間部分１０は、着用者の口許近傍に位置する部位がフィルタ取り付け部６の後面２４から離間し、この部位には呼気を排出するための排気孔１１が形成され、その排気孔１１には外側から逆止弁１２が当接している。排気孔１１は、図示されているように、面体２の下方部分に形成されていることが好ましく、その排気孔１１のさらに下方には水滴を受け止める手段である水滴落下防止具１６が中間部分１０に取り付けられている。着用されたマスク１の面体２内部では、呼気に含まれる水分が凝縮して水滴となることがあり、逆止弁１２が開いたときにその水滴が面体２から落下するとマスク１着用者の作業に支障を来すことがある。例えば、塗装作業中にその水滴で塗装直後の面を汚すというような場合である。しかし、このマスク１では、防止具１６でその水滴を受け止めることができるから、作業に支障を来すことがない。
【００１１】
防止具１６は、保持部材１７と、保持部材１７の内側に載せられた吸水性パッド部材１８（図３を併せて参照）とを有し、保持部材１７の頂部１９が、面体２の外面２３とフィルタ取り付け部６の後面２４に形成された水平方向ヘ延びる２本のピン２１，２２に支えられている。保持部材１７は、透孔２０を有し、排気孔１１からの呼気がこの透孔２０を通り抜けてマスク１の外へ出る。パッド部材１８は、その一部分が面体２の中間部分１０に下方から密着した状態で排気孔１１の直下に位置している。パッド部材１８は、面体２とこのように密着することによって、ずれたり、脱落したりすることがない。なお、フィルタ７と保護カバー８とは、防止具１６とは別体のもので、かつ、防止具１６から離間しているから、防止具１６に関係なく面体２に対して自由に取り付けたり、取り外したりすることができる。
【００１２】
図３は、図２におけるマスク１のＰＱＲＳ線矢視図であるが、フィルタ７と保護カバー８とが外されている。面体２のフィルタ取り付け部６は、図２において中心軸（図示せず）が水平方向ヘ延びる円筒状の胴部２６と、その中心軸に直交して垂直方向ヘ延びる底部２７とを有する。胴部２６の内側にはフィルタ７を納めることができ、胴部２６の外側には保護カバー８を取り外し可能に嵌合させるための溝部２６ａが形成され、底部２７には面体２の内側へ通じる吸気孔２８が形成されている。吸気孔２８では、３条の補強用リブ２９が上下方向ヘ延び、リブ２９の内側には、吸気孔２８を覆い吸気動作によって面体２の内方へ開くことが可能な吸気用逆止弁３０が取り付けられている。図には、その逆止弁３０が一部を破断した状態で示されている。フィルタ７を通過した吸気は、逆止弁３０を開きながら吸気孔２８を通って面体２の内側へ入り、着用者の鼻孔や口許に達する。面体２の中間部分１０は、フィルタ取り付け部６の底部２７の外面２４（図２参照）と向かい合う部位に排気孔１１を有し、その排気孔１１を覆う逆止弁１２は中間部分１０の外面２３に密着している。
【００１３】
防止具１６の保持部材１７は、ほぼＵ字形を呈するもので、内面３１がマスク１の幅方向へ弧を画いて延びるパッドセット部３２を有し、その幅方向において対向している両側縁部分３３，３４には、図の上方への第１、２伸長部３６，３７が形成されている。パッドセット部３２は、両側縁部分３３，３４の中間にパッド部材１８を貫通可能なずれ防止用突起４０を有する。第１伸長部３６は、その頂部１９がピン２１，２２（図２を併せて参照）にこれらのピンの周り方向ヘ摺動可能に支えられることによって、ヒンジ機構を形成している。第１伸長部３６は、パッド部材１８によって覆われることのない上下方向へ延びる排気用の透孔２０（図２を併せて参照）を有する。第２伸長部３７は、第１伸長部３６と平行で、第１伸長部３６と同様に形成された透孔２０を有し、頂部３８には側方への突起３９が形成されている。第２伸長部３７は、矢印４１，４２方向ヘ弾性変形可能であり、その弾性変形を利用することによって、突起３９が面体２の外面２３に形成された板状部４３の透孔４４に嵌合している。突起３９は、矢印４１方向へ押されると透孔４４から外れ、そのときに保持部材１７は、ピン２１，２２を中心に仮想線の位置にまで旋回可能である。好ましい態様の保持部材１７は、例えばヒンジ機構にコイルばねが組み込まれ、そのばねの付勢下に仮想線の位置にまで旋回する。このように付勢された保持部材１７では、板状部４３の透孔４４に嵌合した突起３９が透孔４４の下縁に上から下へ向かって強く当接して透孔４４の中で踊ることがないから、保持部材１７もまた面体２の外面２３にしっかりと固定されて揺れ動くことがない。
【００１４】
保持部材１７は、パッドセット部３２の内面３１に吸水性パッド部材１８が取り外し可能な状態で載せられている。パッド部材１８は、排気孔１１の直下に位置し、逆止弁１２が開いたときに排気孔１１から流れ出る水滴を速やかに受け止め、吸収することができる。かかるパッド部材１８は、親水性繊維、発泡プラスチック、高吸水性ポリマー粒子等の吸水性材料で形成されるもので、より好ましくは親水性繊維からなる不織布で形成される。パッド部材１８は、保持部材１７が仮想線の位置にまで旋回しているときに交換される。
【００１５】
図４は、図３のＵＶＷＸ線矢視図である。面体２の中間部分１０の外面２３からは、ピン２２と板状部４３とがフィルタ取り付け部６の後面２４へ向かって延びている。また、外面２３には、面体２の幅方向における排気孔１１の両側に、互いに平行で上下方向へ延び、フィルタ取り付け部６の後面２４へ向かって隆起する一対の凸条５２が形成されている（図３を併せて参照）。マスク１着用者が頭を横へ斜めにすると、マスク１は図３のように垂直ではなくて左右どちらかに傾くから、排気孔１１から出た水滴は外面２３を伝ってマスク１の側方へ流れる。ただし、その水滴は突条５２にまで流れると、次にはその突条５２によってパッド部材１８へ向かうように案内される。それゆえ、このマスク１では、着用者の頭の傾きの如何によらず水滴を確実に捕捉することができる。これらの凸条５２に代えて、防止具１６の第１、２伸長部３６，３７によって水滴を案内することも可能ではあるが、その場合には、これら伸長部３６，３７を面体２の外面２３に正確に密着させるという設計・製作上の難しさと、伸長部３６，３７の透孔２０，４０から水滴が流出しないように透孔２０，４０を小さく作らなければならないという設計上の制約とが生じる。
【００１６】
【発明の効果】
この発明に係る排気孔付きのマスクは、落下する水滴を受け止めるパッド保持部材が面体に対して旋回可能に取り付けられていて、パッド部材を交換するときに面体から取り外す必要がないから、この保持部材には紛失の恐れがない。
【００１７】
保持部材に載せたパッド部材は、その一部分を面体に密着させることが可能で、そうすることによって簡単に脱落するということがなくなる。このパッド部材は、保持部材を下方から上方へ向かって旋回させることによって面体に密着させるから、そのときの保持部材の操作によってパッド部材がずれたりパッド部材にしわが生じたりするということがない。
【００１８】
面体の外面には、排気孔の両側に上下方向ヘ延びる凸状を形成して排気孔から出た水滴をパッド部材へ案内することができるから、マスク着用者の頭の傾きの如何によらず水滴を確実に捕捉することができる。
【図面の簡単な説明】
【図１】マスクの斜視図。
【図２】マスクの部分破断側面図。
【図３】図２のＰＱＲＳ線矢視図。
【図４】図３のＵＶＷＸ線矢視図。
【符号の説明】
１      マスク
２      面体
３      着用手段（ヘッドバンド）
７      フィルタ
１１      排気孔
１２      逆止弁
１６      水滴受け止め手段（水滴落下防止具）
１７      保持部材
１８      パッド部材
２０      透孔
２３      外面
３１      内面
３３      側縁部
３４      側縁部
５２      凸条
【図１】
0004144662.tif 000002
【図２】
0004144662.tif 000003
【図３】
0004144662.tif 000004
【図４】
0004144662.tif 000005